(57)【要約】【課題】画像ソース装置から画像出力装置に画像を伝送する画像伝送装置及び方法を提供する。【解決手段】画像ソース装置から画像出力装置に画像を伝送する画像伝送装置は第二接続インターフェイスと、画像レシーバーと、第一メモリと、無線トランスミッタと、プロセッサと、スイッチとを含む。画像ソース装置は第一接続インターフェイスを含み、画像出力装置は無線レシーバーを含む。第二接続インターフェイスはケーブルを介して第一接続インターフェイスに接続されている。画像レシーバーは画像ソース装置から画像を受信するために用いられる。第一メモリは画像レシーバーに受信された画像を保存するために用いられる。無線トランスミッタは無線レシーバーと通信し、第一メモリから画像出力装置に画像を伝送するために用いられる。スイッチは第二接続インターフェイスをオン／オフにし、画像レシーバーをオン／オフにするようにプロセッサを駆動するために用いられる。【選択図】図１
2010252286.tif 000002
【特許請求の範囲】
【請求項１】
画像ソース装置から画像出力装置に画像を伝送する画像伝送装置であって、同画像ソース装置は第一接続インターフェイスを含み、同画像出力装置は無線レシーバーを含み、同画像伝送装置は、
ケーブルを介して前記第一接続インターフェイスに接続される第二接続インターフェイスと、
前記第二接続インターフェイスに電気的に接続され、前記第一及び第二接続インターフェイスを通して前記画像ソース装置から画像を受信する画像レシーバーと、
前記画像レシーバーに受信された画像を保存する第一メモリと、
前記無線レシーバーと通信し、前記無線レシーバーを通して前記第一メモリから前記画像出力装置に画像を伝送する無線トランスミッタと、
前記画像レシーバー、前記メモリ、及び前記無線トランスミッタに電気的に接続され、前記画像レシーバー、前記メモリ、及び前記無線トランスミッタの動作を制御するプロセッサと、
前記第二接続インターフェイスと前記プロセッサに電気的に接続され、前記第二接続インターフェイスをオン／オフにし、前記画像レシーバーをオン／オフにするように前記プロセッサを駆動するスイッチとを含む、画像伝送装置。
【請求項２】
前記スイッチが、前記第二接続インターフェイスをオフにし、前記画像レシーバーをオフにするように前記プロセッサを駆動するように操作されたとき、前記画像ソース装置は画像を取り込むことができる、請求項１に記載の画像伝送装置。
【請求項３】
前記スイッチが、前記第二接続インターフェイスをオンにし、前記画像レシーバーをオンにするように前記プロセッサを駆動するように操作されたとき、前記画像ソース装置は画像を取り込むことができない、請求項１に記載の画像伝送装置。
【請求項４】
前記第二接続インターフェイスと前記画像レシーバーは、前記画像ソース装置から画像を受信した後に自動的にオフにされる、請求項３に記載の画像伝送装置。
【請求項５】
前記画像出力装置は第三接続インターフェイスと、１組の無線設定情報を保存する第二メモリとを含み、前記第二接続インターフェイスがケーブルを介して第三接続インターフェイスに接続されたとき、前記１組の無線設定情報を前記第二及び第三接続インターフェイスを通して第二メモリから前記第一メモリに伝送できる、請求項１に記載の画像伝送装置。
【請求項６】
前記第一、第二、及び第三接続インターフェイスはＵＳＢ（ユニバーサルシリアルバス）対応である、請求項５に記載の画像伝送装置。
【請求項７】
前記画像レシーバーはＰｉｃｔＢｒｉｄｇｅプロトコル対応である、請求項１に記載の画像伝送装置。
【請求項８】
前記無線レシーバーと前記無線トランスミッタはＷｉＦｉプロトコル対応である、請求項１に記載の画像伝送装置。
【請求項９】
前記画像ソース装置はデジタルスチルカメラである、請求項１に記載の画像伝送装置。
【請求項１０】
前記画像出力装置はプリンタである、請求項１に記載の画像伝送装置。
【請求項１１】
画像ソース装置から画像出力装置に画像を伝送する方法であって、同画像ソース装置は第一接続インターフェイスを含み、同方法は、
前記画像ソース装置の第一接続インターフェイスと前記画像伝送装置の第二接続インターフェイスをケーブルで接続し、前記画像伝送装置は前記第二接続インターフェイスをオン／オフにするスイッチを含む段階と、
前記スイッチを操作して前記第二接続インターフェイスをオンにする段階と、
前記画像を前記第一及び第二接続インターフェイスを通して前記画像ソース装置から前記画像伝送装置に伝送する段階と、
前記画像を前記画像伝送装置から前記画像出力装置に無線伝送する段階とを含む、画像伝送方法。
【請求項１２】
前記方法は更に、
前記画像の伝送後に前記第二接続インターフェイスをオフにするようにスイッチを操作し、前記画像ソース装置が、前記画像ソース装置の前記第一接続インターフェイスがケーブルを介して前記画像伝送装置の前記第二接続インターフェイスに接続されるうちに画像を取り込めるようにする段階を含む、請求項１１に記載の画像伝送方法。
【請求項１３】
前記方法は更に、
前記画像の伝送後に前記第二接続インターフェイスを自動的にオフにし、前記画像ソース装置が、前記画像ソース装置の前記第一接続インターフェイスがケーブルを介して前記画像伝送装置の前記第二接続インターフェイスに接続されるうちに画像を取り込めるようにする段階を含む、請求項１１に記載の画像伝送方法。
【請求項１４】
前記画像出力装置は第三接続インターフェイスを含んで１組の無線設定情報を保存し、前記方法は更に、
前記画像伝送装置の前記第二接続インターフェイスを前記画像出力装置の前記第三接続インターフェイスにケーブルで接続する段階と、
前記第二及び第三接続インターフェイスを通して前記１組の無線設定情報を前記画像出力装置から前記画像伝送装置に伝送する段階とを含む、請求項１１に記載の画像伝送方法。
【請求項１５】
前記第一、第二、及び第三接続インターフェイスはＵＳＢ対応である、請求項１４に記載の画像伝送方法。
【請求項１６】
前記画像を前記画像ソース装置から画像伝送装置に伝送する段階は、ＰｉｃｔＢｒｉｄｇｅプロトコル対応である、請求項１１に記載の画像伝送方法。
【請求項１７】
前記画像を前記画像伝送装置から画像出力装置に伝送する段階は、ＷｉＦｉプロトコル対応である、請求項１１に記載の画像伝送方法。
【請求項１８】
前記画像ソース装置はデジタルスチルカメラである、請求項１１に記載の画像伝送方法。
【請求項１９】
前記画像出力装置はプリンタである、請求項１１に記載の画像伝送方法。
【発明の詳細な説明】
【技術分野】
【０００１】
本発明は画像伝送装置及び画像伝送装置で画像を伝送する方法に関し、特にＵＳＢ（ユニバーサルシリアルバス）ケーブルを介して画像伝送装置に接続される画像ソース装置で画像を取り込むことが可能な画像伝送装置に関する。
【背景技術】
【０００２】
現在のリアルタイム組み込み型アプリケーションでは、ユーザーは携帯型カメラからプリンタに画像を送って直接印画することができない。しかし、ＰｉｃｔＢｒｉｄｇｅプロトコルでは、画像ソース装置で印刷ジョブを生成して画像出力装置に伝送することを可能にする１組のプロトコルと動作が規定されている。提案されたプロトコルは、単一画像又は集合画像をサポートし、ユーザーに進行状況結果の提供をサポートする。提案されたＰｉｃｔＢｒｉｄｇｅプロトコルはメーカーやモデルを問わず、ＰｉｃｔＢｒｉｄｇｅ規格対応のデジタルカメラとプリンタであれば、如何なるデジタルカメラとプリンタの組み合わせをも可能にしている。
【０００３】
画像データを印刷するために、ユーザーはＵＳＢケーブルでデジタルカメラをプリンタに接続しなければならない。このような接続にＵＳＢケーブルを用いれば、デジタルカメラとプリンタの間の距離はＵＳＢケーブルの長さによって制限される。ケーブルが短ければデジタルカメラとプリンタは互いに近く置かなければならない。また、ＵＳＢケーブルでデジタルカメラをプリンタに接続すると、デジタルカメラはＰｉｃｔＢｒｉｄｇｅプロトコルにより直ちに動作モードに入るが、この動作モードでは画像を取り込むことができない。画像データをデジタルカメラからプリンタに伝送した後、デジタルカメラで再び画像を取り込むためには、ユーザーはデジタルカメラとプリンタの接続を切断しなければならない。ユーザー操作は複雑である。
【発明の概要】
【発明が解決しようとする課題】
【０００４】
本発明の目的は、前記問題を解決するために、画像ソース装置から画像出力装置に画像を伝送する画像伝送装置及び方法を提供することにある。
【課題を解決するための手段】
【０００５】
本発明の実施例によれば、画像伝送装置は第二接続インターフェイスと、画像レシーバーと、第一メモリと、無線トランスミッタと、プロセッサと、スイッチとを含む。画像ソース装置は第一接続インターフェイスを含み、画像出力装置は無線レシーバーを含む。
【０００６】
画像伝送装置の第二接続インターフェイスはケーブルを介して画像ソース装置の第一接続インターフェイスに接続されている。画像レシーバーは第二接続インターフェイスに接続され、第一及び第二接続インターフェイスを通して画像ソース装置から画像を受信するために用いられる。第一メモリは画像レシーバーに受信された画像を保存するために用いられる。無線トランスミッタは無線レシーバーと通信し、無線レシーバーを通して第一メモリから画像出力装置に画像を伝送するために用いられる。プロセッサは画像レシーバー、メモリ、及び無線トランスミッタに接続され、画像レシーバー、メモリ、及び無線トランスミッタの動作を制御するために用いられる。スイッチは第二接続インターフェイスとプロセッサの間に接続され、第二接続インターフェイスをオン／オフにし、画像レシーバーをオン／オフにするようにプロセッサを駆動するために用いられる。
【０００７】
他実施例によれば、画像ソース装置から画像出力装置に画像を伝送する方法は以下の段階を含む。（１）画像ソース装置の第一接続インターフェイスと画像伝送装置の第二接続インターフェイスをケーブルで接続し、画像伝送装置は前記第二接続インターフェイスをオン／オフにするスイッチを含む、（２）スイッチを操作して前記第二接続インターフェイスをオンにする、（３）画像を第一及び第二接続インターフェイスを通して画像ソース装置から画像伝送装置に伝送する、（４）画像を画像伝送装置から画像出力装置に無線伝送する。
【図面の簡単な説明】
【０００８】
【図１】本発明の実施例による画像ソース装置から画像出力装置に画像を伝送する画像伝送装置を表す機能ブロック図である。
【図２】図１に示す画像ソース装置と画像伝送装置を表す機能ブロック図である。
【図３】図１に示す画像伝送装置と画像出力装置を表す機能ブロック図である。
【図４】本発明の実施例による画像を伝送する方法のフローチャートである。
【図５】本発明の実施例による画像伝送装置と画像出力装置との間の無線通信を確立する方法のフローチャートである。
【発明を実施するための形態】
【０００９】
かかる方法及び装置の特徴を詳述するために、具体的な実施例を挙げ、図を参照にして以下に説明する。
【００１０】
図１を参照する。図１は本発明の実施例による画像ソース装置１０から画像出力装置１４に画像を伝送する画像伝送装置１２を表す機能ブロック図である。図１に示すように、画像伝送装置１２はＵＳＢケーブルなどのケーブル１６を介して、画像ソース装置に分離自由で接続されている。なお、画像伝送装置１２は画像出力装置と無線で通信することができる。本実施例では、画像ソース装置１０は例えばデジタルスチルカメラ（ＤＳＣ）であり、画像出力装置１４は例えばプリンタであるが、これに限らない。
【００１１】
図２を参照する。図２は図１に示す画像ソース装置１０と画像伝送装置１２を表す機能ブロック図である。図２に示すように、画像ソース装置１０は画像取り込みユニット１００と、プロセッサ１０２と、メモリ１０４と、接続インターフェイス１０６とを含む。プロセッサ１０２は画像取り込みユニット１００と、メモリ１０４と、接続インターフェイス１０６に電気的に接続され、これら素子の動作を制御する。画像取り込みユニット１００は画像を取り込むのに用いられ、取り込まれた画像はメモリ１０４に保存することができる。注意すべきは、実際の応用例として、画像を取り込むために、画像ソース装置１０はレンズやディスプレイなど他の素子を含むことが可能である。
【００１２】
なお、画像伝送装置１２はスイッチ１２０と、プロセッサ１２２と、接続インターフェイス１２４と、画像レシーバー１２６と、メモリ１２８と、無線トランスミッタ１３０とを含む。プロセッサ１２２はスイッチ１２０と、接続インターフェイス１２４と、画像レシーバー１２６と、メモリ１２８と、無線トランスミッタ１３０に電気的に接続され、これら素子の動作を制御する。スイッチ１２０は接続インターフェイス１２４をオン／オフにするとともに、画像レシーバー１２６をオン／オフにするようにプロセッサ１２２を駆動する。
【００１３】
画像伝送装置１２の接続インターフェイス１２４は例えば、ケーブル１６を介して画像ソース装置１０の接続インターフェイス１０６に接続されている。本実施例ではケーブル１６がＵＳＢケーブルであるため、接続インターフェイス１０６、１２４はＵＳＢプロトコル対応のものである。ケーブル１６で画像ソース装置１０を画像伝送装置１２に接続した場合、接続インターフェイス１２４はスイッチ１２０を入れる前に無効である。したがって、画像ソース装置１０がケーブル１６を介して画像伝送装置１２に接続されているにもかかわらず、ユーザーは画像ソース装置１０で画像を取り込むことができる。
【００１４】
画像ソース装置１０で取り込まれた画像をすぐに印刷しようとするとき、ユーザーはスイッチ１２０を押すだけで、接続インターフェイス１２４をオンにし、画像レシーバー１２６をオンにするようにプロセッサ１２２を駆動することができる。その後、接続インターフェイス１２４はオンにされ、画像ソース装置１０の接続インターフェイス１０６と通信するようになる。本実施例では、画像レシーバー１２６はＰｉｃｔＢｒｉｄｇｅプロトコル対応なので、ＰｉｃｔＢｒｉｄｇｅプロトコルにより接続インターフェイス１０６、１２４を介して画像ソース装置１０から画像を受信することができる。すなわち、ユーザーがスイッチ１２０を押せば、画像ソース装置１０で実行される撮影モードはＰｉｃｔＢｒｉｄｇｅモードに変わる。実際の応用例として、ユーザーは手動でＰｉｃｔＢｒｉｄｇｅモードを操作し、画像または画像コレクションを画像伝送装置１２に送信することができる。注意すべきは、スイッチ１２０が接続インターフェイス１２４をオンにし、画像レシーバー１２６をオンにするようにプロセッサ１２２を駆動した場合では、画像ソース装置１０で画像を取り込むことができない。
【００１５】
画像ソース装置１０から画像を受信してメモリ１２８に保存した後、ＰｉｃｔＢｒｉｄｇｅモードから撮影モードに戻すために、ユーザーが再びスイッチ１２０を押すか、または接続インターフェイス１２４と画像レシーバー１２６が自動的にオフにされる。その後、ユーザーは画像伝送装置１２と接続中の画像ソース装置１０で再び画像を取り込むことができる。すなわち、画像ソース装置１０から画像を受信した後、スイッチ１２０を操作して接続インターフェイス１２４をオフにし、画像レシーバー１２６をオフにするようにプロセッサ１２２を駆動するか、または接続インターフェイス１２４と画像レシーバー１２６が自動的にオフにされた場合では、画像ソース装置１０で画像を取り込むことができる。
【００１６】
図３を参照する。図３は図１に示す画像伝送装置１２と画像出力装置１４を表す機能ブロック図である。図３に示すように、画像出力装置１４はプロセッサ１４０と、印刷ユニット１４２と、無線レシーバー１４４と、メモリ１４６と、接続インターフェイス１４８とを含む。プロセッサ１４０は印刷ユニット１４２と、無線レシーバー１４４と、メモリ１４６と、接続インターフェイス１４８に電気的に接続され、これら素子の動作を制御する。注意すべきは、実際の応用例として、画像出力装置１４は画像を印刷するためにインクカートリッジなど他の素子をも含む。画像伝送装置１２の無線トランスミッタ１３０は画像出力装置１４の無線レシーバー１４４と無線で通信する。例えば、無線レシーバー１４４と無線トランスミッタ１３０はＷｉＦｉプロトコル対応である。もっとも本発明はこれに限らない。
【００１７】
本実施例では、画像伝送装置１２で画像ソース装置１０から画像を受信した後、無線トランスミッタ１３０は無線レシーバー１４４を通してメモリ１２８に保存された画像を画像出力装置１４に伝送する。その後、画像はメモリ１４６に保存されるか、または印刷ユニット１４２によって印刷される。
【００１８】
なお、画像出力装置１４のメモリ１４６には１組の無線設定情報が保存されている。この１組の無線設定情報は、画像伝送装置１２の無線トランスミッタ１３０と画像出力装置１４の無線レシーバー１４４との間の通信を確立するために用いられる。本実施例では、ユーザーは前記ケーブル１６を用いて画像伝送装置１２の接続インターフェイス１２４と画像出力装置１４の接続インターフェイス１４８を接続することができる。注意すべきは、ケーブル１６はＵＳＢケーブルであるため、接続インターフェイス１４８もＵＳＢプロトコル対応である。接続インターフェイス１２４がケーブル１６を介して接続インターフェイス１４８に接続された場合、前記１組の無線設定情報は接続インターフェイス１２４、１４８を通して画像出力装置１４のメモリ１４６から画像伝送装置１２のメモリ１２８に伝送される。例えば、接続インターフェイス１２４がケーブル１６を介して接続インターフェイス１４８に接続された場合、前記１組の無線設定情報は画像出力装置１４から画像伝送装置１２に自動的に伝送され、設定プロセスはそれによって自動的に実行される。言い換えれば、ユーザーは前記１組の無線設定情報と設定プロセスを覚える必要がなく、ユーザー操作が容易になる。
【００１９】
図４を参照する。図４は本発明の実施例による画像を伝送する方法のフローチャートである。図１と図３を合わせて参照すれば、図４に示すように、本発明による方法は画像伝送装置１２で画像ソース装置１０からの画像を画像出力装置１４に伝送する。
【００２０】
まずステップＳ１００において、ユーザーはケーブル１６で画像ソース装置１０の接続インターフェイス１０６と画像伝送装置１２の接続インターフェイス１２４を接続しなければならない。注意すべきは、画像ソース装置１０と画像伝送装置１２との間の通信はスイッチ１２０を押すまで確立されない。次にステップＳ１０２において、画像ソース装置１０のメモリ１０４に保存された画像を画像伝送装置１２に伝送しようとすれば、ユーザーはスイッチ１２０を操作して接続インターフェイス１２４をオンにし、画像ソース装置１０と画像伝送装置１２の間の通信を確立しなければならない。次にステップＳ１０４において、画像はＰｉｃｔＢｒｉｄｇｅモードで接続インターフェイス１０６、１２４を通して画像ソース装置１０から画像伝送装置１２に伝送される。その後ステップＳ１０６において、画像は無線トランスミッタ１３０と無線レシーバー１４４を通して画像伝送装置１２から画像出力装置１４に自動的に無線伝送される。前述のように、画像の伝送後、ユーザーは再びスイッチ１２０を操作して接続インターフェイス１２４をオフにしなければならない（或いは、接続インターフェイス１２４は自動的にオフにされる）。それにより画像ソース装置１０は、画像ソース装置１０の接続インターフェイス１０６と画像伝送装置１２の接続インターフェイス１２４がケーブル１６を介して接続されるうちに、画像を取り込むことができる。
【００２１】
図５を参照する。図５は本発明の実施例による画像伝送装置１２と画像出力装置１４との間の無線通信を確立する方法のフローチャートである。ステップＳ２００において、ユーザーはケーブル１６で画像伝送装置１２の接続インターフェイス１２４と画像出力装置１４の接続インターフェイス１４８を接続しなければならない。次にステップＳ２０２において、メモリ１４６に保存された前記１組の無線設定情報は接続インターフェイス１２４、１４８を通して画像出力装置１４から画像伝送装置１２に自動または手動で伝送される。前記１組の無線設定情報の受信後、ステップＳ２０４において、画像伝送装置１２に対して設定プロセスが自動的に実行される。
【００２２】
従来の技術に比べて、画像ソース装置で取り込まれた画像をすぐに印刷しようとするとき、ユーザーは画像伝送装置のスイッチを押すだけでよい。ユーザーはスイッチを押す前に画像ソース装置をもって撮影モードで画像を取り込むことができる。スイッチを押すと撮影モードはＰｉｃｔＢｒｉｄｇｅモードに変換される。１組の無線設定情報を画像出力装置から画像伝送装置に自動的に伝送し、画像伝送装置に対して設定プロセスを自動的に実行するために、ユーザーはケーブルで画像伝送装置と出力装置を接続することができる。したがって、ユーザー操作は容易になる。
【００２３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図１】
2010252286.tif 000003
【図２】
2010252286.tif 000004
【図３】
2010252286.tif 000005
【図４】
2010252286.tif 000006
【図５】
2010252286.tif 000007